(57)【要約】【課題】映像信号に挿入された二次元コードを随時取得し随所で閲覧できるようにする。【解決手段】分離部１８は、チューナ１６から送られてくるテレビ放送信号から番組映像信号と二次元コードデータ信号を分離する。番組映像信号は映像処理回路２０に送られる。番組映像信号は任意のテレビ番組の映像を内容とする。一方、二次元コードデータ信号は二次元コード映像生成部２４に送られる。二次元コード映像生成部２４は、二次元コードデータ信号に基づいて二次元コードの静止画の映像信号（二次元コード映像信号）を生成する。映像処理回路２０は、番組映像信号と二次元コード映像信号を重畳した映像信号をモニタ２２に送る。モニタ２２には番組映像と二次元コードの映像が重畳された状態で表示される。【選択図】  図２
2006094222.tif 000002
【特許請求の範囲】
【請求項１】
テレビ放送信号を受信する受信部と、
前記受信したテレビ放送信号から番組映像信号と二次元コードデータ信号を分離する分離部と、
前記分離された二次元コードデータ信号に基づいて二次元コード映像信号を生成する二次元コード映像生成部と、
前記番組映像信号と前記二次元コード映像信号とを重畳して番組映像及び二次元コード映像をモニタに表示する映像処理部と、
を備えるテレビ放送受信装置。
【請求項２】
所定の操作入力を受け付ける操作部と、
前記所定の操作入力に応じて前記二次元コード映像の表示又は非表示を切り替える表示制御部と、
をさらに備える請求項１に記載のテレビ放送受信装置。
【請求項３】
番組映像を内容とする番組映像信号と前記番組映像に関連する情報の取得先を埋め込んだ二次元コードデータを内容とする二次元コードデータ信号を重畳したテレビ放送信号を送信することを含むテレビ放送方法。
【発明の詳細な説明】
【技術分野】
【０００１】
本発明はテレビ放送受信装置及びテレビ放送方法に係り、特にテレビの番組映像に関連する情報を随時ユーザに取得させることのできるテレビ放送に関する。
【背景技術】
【０００２】
従来、テレビ放送信号に挿入した二次元コードデータから所望の情報を得させる技術が開発されている。例えば特許文献１によると、送信側では、任意の提供データを二次元コード化した二次元コードの映像を本来の送信用映像に合成し、合成した映像の映像信号を送信する。受信側では、映像信号をテレビが受信してＩ／Ｆ装置に出力する。Ｉ／Ｆ装置は映像信号から二次元コードの映像を抽出する動作を行い、二次元コードの映像データがあればパソコンに出力する。パソコンは映像データによる二次元コードをデコードし提供データを復元する。
【特許文献１】特開２００４−２２８７２０号公報
【発明の開示】
【発明が解決しようとする課題】
【０００３】
ところが、特許文献１の技術では、パソコンに内蔵されたアプリケーションソフトにより映像信号の映像による二次元コードをデコードして提供データを取得する必要がある。また、取得した提供データはパソコンでしか利用できず閲覧場所がパソコンの設置場所に限られ不便である。本発明はこのような問題点に鑑みてなされたもので、映像信号に挿入された二次元コードを随時取得し随所で閲覧できるようにすることを目的とする。
【課題を解決するための手段】
【０００４】
上述の課題を解決するため、本願発明に係るテレビ放送受信装置は、テレビ放送信号を受信する受信部と、受信したテレビ放送信号から番組映像信号と二次元コードデータ信号を分離する分離部と、分離された二次元コードデータ信号に基づいて二次元コード映像信号を生成する二次元コード映像生成部と、番組映像信号と二次元コード映像信号とを重畳して番組映像及び二次元コード映像をモニタに表示する映像処理部と、を備える。
【０００５】
モニタに表示された二次元コードを携帯電話機などの各種携帯端末で読み取り、テレビ番組に関連した情報の取得先を取り込めば、必要に応じて番組関連情報の取得先にアクセスし、番組関連情報を随時取得することができる。一旦二次元コードを読み込んでおけば、番組関連情報の取得先にアクセスできる限り、いつでも、どこでも各種携帯端末で番組関連情報を取得して閲覧でき便利である。
【０００６】
テレビ放送受信装置は、所定の操作入力を受け付ける操作部と、所定の操作入力に応じて二次元コード映像の表示又は非表示を切り替える表示制御部と、をさらに備えることが好ましい。
【０００７】
このようにすれば、二次元コードの映像を必要な場合に限ってモニタに表示させることができ、二次元コードの映像が番組映像の閲覧の妨げになることがない。
【０００８】
本願発明に係るテレビ放送方法は、番組映像を内容とする番組映像信号と番組映像に関連する情報の取得先を埋め込んだ二次元コードデータを内容とする二次元コードデータ信号を重畳したテレビ放送信号を送信することを含む。
【０００９】
このテレビ放送方法は、番組映像に関連する情報の取得先を埋め込んだ二次元コードデータを重畳したテレビ放送信号を送信する。送信されたテレビ放送信号は、本願発明に係るテレビ放送受信装置が受信する。
【発明の効果】
【００１０】
モニタに表示された二次元コードを携帯電話機などの各種携帯端末で読み込んでおけば、番組関連情報の取得先にアクセスできる限り、いつでも、どこでも番組関連情報を各種携帯端末で取得して閲覧でき便利である。
【発明を実施するための最良の形態】
【００１１】
以下、添付した図面を参照し本発明の好ましい実施の形態を説明する。
【００１２】
＜第１実施形態＞
図１は、本発明の好ましい実施形態に係るテレビ放送受信装置１００の概略構成を示した図である。テレビ放送受信装置１００は、アンテナ１４、チューナ１６、分離部１８、映像処理回路２０、二次元コード映像生成部２４、ＲＯＭ２５、表示制御部２８を備えている。
【００１３】
アンテナ１４は、番組映像信号を含んだテレビ放送信号を放送局１から受信する。このテレビ放送信号には、放送局１側で走査線（日本では５２５本）のうち使用していない４本（垂直ブランキング期間）に二次元コードデータ信号が重畳されている。二次元コードデータには、テレビ放送の番組に関連する情報（以下番組関連情報という）の取得先を示す情報（以下取得先情報という）が埋め込まれている。
【００１４】
チューナ１６には、アンテナ１４の受信したテレビ放送信号が入力される。チューナ１６では、周波数変換や、アナログ信号をデジタル復調するなどの処理が行なわれる。チューナ１６の出力は分離部１８に送られる。分離部１８は、チューナ１６から送られてくるテレビ放送信号から番組映像信号と二次元コードデータ信号を分離する。番組映像信号は映像処理回路２０に送られる。番組映像信号は任意のテレビ番組の映像を内容とする。
【００１５】
一方、二次元コードデータ信号は二次元コード映像生成部２４に送られる。二次元コード映像生成部２４は、二次元コードデータ信号に基づいて二次元コードの静止画の映像信号（二次元コード映像信号）を生成する。具体的には、二次元コード映像生成部２４は、二次元コード表示パターンデータが格納されたＲＯＭ２５を参照し、二次元コードデータ信号に含まれる情報をモニタ２２に表示するのに必要な二次元コード表示パターンデータをＲＯＭ２５から読み出してこれを二次元コード映像信号に変換する。二次元コード映像生成部２４の生成した二次元コード映像信号は表示制御部２８を介して映像処理回路２０に出力される。
【００１６】
映像処理回路２０は、番組映像信号と二次元コード映像信号を重畳した映像信号をモニタ２２に送る。モニタ２２には番組映像と二次元コードの映像が重畳された状態で表示される。図２は二次元コードの映像の表示例を示す。この図に示すように、モニタ２２上には、番組映像Ｖに二次元コードの映像Ｘが重畳された状態で表示されている。二次元コードの映像Ｘは、携帯電話機２００のコードリーダ２００ａで読み取ることができる。携帯電話機２００は、読み取った二次元コードから取得先情報を取得する。二次元コードの映像Ｘを読み取るのは携帯電話機２００に限らず、コードリーダ２００ａを備えたＰＤＡなどの各種携帯端末であってもよい。
【００１７】
例えば、番組が歌謡ショーであれば、番組関連情報はその番組の出演者の唄を携帯電話機２００で再生するアプリケーションであり、取得先情報はそのアプリケーションのダウンロードサイトのＵＲＬである。あるいは、番組が料理番組であれば、その料理のレシピを記載したＷｅｂページが番組関連情報であり、そのＷｅｂページのＵＲＬが取得先情報として二次元コードに埋め込まれている。
【００１８】
なお、表示制御部２８は、リモコン３０や図示しない操作パネルなどで構成される操作部への所定操作に応じ、二次元コードの映像Ｘの表示／非表示を切り替える。二次元コードの映像Ｘが必要な場合にだけ表示させれば、二次元コードの映像が表示されたままで番組映像の視聴の妨げになることがない。
【００１９】
以上説明した通り、モニタ２２に表示された二次元コードを携帯電話機２００などの各種携帯端末で読み取り、テレビ番組に関連した番組関連情報の取得先を取り込めば、必要に応じてその取得先にアクセスし、番組関連情報を随時取得することができる。一旦二次元コードを読み込んでおけば、番組関連情報の取得先にアクセスできる限り、いつでも、どこでも各種携帯端末で番組関連情報を取得して閲覧でき便利である。
【００２０】
＜第２実施形態＞
本発明の適用範囲は第１実施形態のようなアナログテレビ放送に限られず、ＣＳ（通信衛星）、ＢＳ（放送衛星）、地上波デジタル放送などの各種デジタル放送にも適用可能である。デジタル放送では、テレビ放送信号が番組映像データ以外のデータ（データ放送データ）を番組映像データとともに一括して送信できるから、二次元コードの静止画映像データそのものを、静止画モジュールの伝送の繰り返し（いわゆるデータカルーセル方式）で送信することができる。
【００２１】
この場合、図３に示すように、テレビ放送受信装置１００にモジュール解析部２６を設けておく。まず、分離部１８は、チューナの受信したテレビ放送信号から、番組映像データとデータ放送データを分離し、番組映像データは映像処理回路２０へ、データ放送データはモジュール解析部２６へ出力する。モジュール解析部２６は、データ放送データの静止画モジュールを解析する。解析されたデータは二次元コード映像生成部２４に送られ、当該データから二次元コード映像を生成する。映像処理回路２０は、番組映像と二次元コード映像を重畳した映像信号をモニタ２２に送る。こうすれば、第１実施形態と同様、二次元コードの映像が番組映像と重畳された状態でモニタ２２に表示される。
【図面の簡単な説明】
【００２２】
【図１】第１実施形態に係るテレビ放送受信装置１００の概略構成図
【図２】番組映像と二次元コードの映像が重畳された状態で表示された状態を示す図
【図３】第２実施形態に係るテレビ放送受信装置１００の概略構成図
【符号の説明】
【００２３】
１００：テレビ放送受信装置、２００：携帯電話機
【図１】
2006094222.tif 000003
【図２】
2006094222.tif 000004
【図３】
2006094222.tif 000005